(57)【要約】【課題】半導体基板上の結晶欠陥の位置がどの半導体装置のどの位置に含まれるかを容易に検出できること。【解決手段】半導体基板１０の内部に作製するチップの領域１１Ａを規定する座標位置の基準となるマーカー１１（１１ａ〜１１ｃ）を形成し、半導体基板１０上の結晶欠陥１２を検出する。そして、検出した結晶欠陥１２の座標位置をマーカー１１（１１ａ〜１１ｃ）に基づき検出する。これにより、半導体基板１０上に作製する半導体チップのうちどのチップのどの位置に結晶欠陥１２が含まれるかを検出できる。【選択図】図２
2013232555.tif 000002
【特許請求の範囲】
【請求項１】
半導体基板の内部に作製するチップの領域を規定する座標位置の基準となるマーカーを形成する工程と、
前記半導体基板上の結晶欠陥を検出する工程と、
検出した前記結晶欠陥の座標位置を前記マーカーに基づき検出する工程と、
を含むことを特徴とする半導体装置の製造方法。
【請求項２】
さらに、前記半導体基板に複数の半導体装置を作製する際、前記座標位置に基づき、前記結晶欠陥が複数の前記半導体装置のうちどの半導体装置に含まれるかを検出する工程を含むことを特徴とする請求項１に記載の半導体装置の製造方法。
【請求項３】
前記結晶欠陥の検出と同時に前記マーカーを形成することを特徴とする請求項１に記載の半導体装置の製造方法。
【請求項４】
前記結晶欠陥の検出後に、前記マーカーを形成することを特徴とする請求項１に記載の半導体装置の製造方法。
【請求項５】
前記半導体基板として炭化珪素を用いることを特徴とする請求項１〜４のいずれか一つに記載の半導体装置の製造方法。
【請求項６】
前記半導体基板として窒化ガリウムを用いることを特徴とする請求項１〜４のいずれか一つに記載の半導体装置の製造方法。
【請求項７】
前記マーカーをレーザーを用いて形成することを特徴とする請求項１〜６のいずれか一つに記載の半導体装置の製造方法。
【請求項８】
前記マーカーをフォトリソグラフィにより形成することを特徴とする請求項１〜６のいずれか一つに記載の半導体装置の製造方法。
【請求項９】
前記マーカーを物理的切削により形成することを特徴とする請求項１〜６のいずれか一つに記載の半導体装置の製造方法。
【請求項１０】
前記結晶欠陥は、前記半導体基板に対して照射光を照射し、当該照射光の散乱、反射、透過に基づき検出することを特徴とする請求項１〜９のいずれか一つに記載の半導体装置の製造方法。
【請求項１１】
半導体基板の内部に作製するチップの領域を規定する座標位置の基準となるマーカーを形成するマーカー形成部と、
前記半導体基板上の結晶欠陥を検出する検査部と、を備え、
前記検査部は、検出した前記結晶欠陥の座標位置を前記マーカーに基づき検出することを特徴とする半導体装置の製造装置。
【発明の詳細な説明】
【技術分野】
【０００１】
本発明は、結晶欠陥の位置を容易に検出できる半導体装置の製造方法および製造装置に関する。
【背景技術】
【０００２】
次世代の半導体材料として、炭化珪素（ＳｉＣ）が期待されている。ＳｉＣで構成された半導体素子は、これまでのシリコン（Ｓｉ）で構成された場合と比較して、オン状態における素子の抵抗（オン抵抗）が数百分の一に低減できること、２００℃以上の高温環境下で使用可能であることなどの特徴を有する。
【０００３】
これらＳｉＣの特徴は、材料そのものの優位性による。つまり、ＳｉＣはバンドギャップが４Ｈ−ＳｉＣで３．２５ｅＶと、Ｓｉの１．１２ｅＶに対して３倍程度大きく、電界強度がＳｉより１桁近く大きい２〜４ｍＶ／ｃｍという特徴を有している。このようなＳｉＣは、例えば、ダイオードなどの整流デバイス、トランジスタ、サイリスタなどのスイッチングデバイスなどの様々なデバイスとして試作されている。
【０００４】
しかし、ＳｉＣ基板には様々な結晶欠陥や転位が存在し、さらにＳｉＣ基板上にエピタキシャル膜を形成すると、この結晶欠陥は増えていく傾向にある。このＳｉＣ基板を用いて形成するショットキーダイオードなどの炭化珪素半導体装置では、この結晶欠陥が耐圧低下やもれ電流増加の要因となっている。
【０００５】
そのため、上記結晶欠陥のウェハ面内での位置や、それぞれどのような欠陥であるかの情報を、ＳｉＣ基板を半導体装置の作製段階以前に取得しておく必要があり、このための検査装置が提案されている（例えば、下記特許文献１〜３参照。）。特許文献１，２の技術は、エレクトロルミネッセンス法により結晶欠陥の分布を検査するものであり、特許文献３の技術は、測定位置にて励起光の照射あるいは電圧印加により発光させ、この発光を複数の測定位置で検出することにより、結晶欠陥位置のマッピングを得るものである。
【先行技術文献】
【特許文献】
【０００６】
【特許文献１】特開２００７−３１８０２９号公報
【特許文献２】特開２００７−３１８０３０号公報
【特許文献３】特開２００７−３１８０３１号公報
【発明の概要】
【発明が解決しようとする課題】
【０００７】
しかし、上記のような方法では、検出される欠陥の位置はＳｉＣ基板の形状や、検査装置に対するＳｉＣ基板の設置位置によって、測定ごとに微妙なずれが生じてしまう。このため、このような検査装置を用いたとしても、半導体装置の製造工程において、半導体基板を分割した際に、どの半導体装置のどの位置に、結晶欠陥が含まれるのかを容易に判断することができなかった。
【０００８】
本発明は、上記課題に鑑み、半導体基板上の結晶欠陥の位置がどの半導体装置のどの位置に含まれるかを容易に検出できることを目的とする。
【課題を解決するための手段】
【０００９】
上記目的を達成するため、本発明の半導体装置の製造方法は、半導体基板の内部に作製するチップの領域を規定する座標位置の基準となるマーカーを形成する工程と、前記半導体基板上の結晶欠陥を検出する工程と、検出した前記結晶欠陥の座標位置を前記マーカーに基づき検出する工程と、を含むことを特徴とする。
【００１０】
さらに、前記半導体基板に複数の半導体装置を作製する際、前記座標位置に基づき、前記結晶欠陥が複数の前記半導体装置のうちどの半導体装置に含まれるかを検出する工程を含むことを特徴とする。
【００１１】
また、前記結晶欠陥の検出と同時に前記マーカーを形成することを特徴とする。
【００１２】
また、前記結晶欠陥の検出後に、前記マーカーを形成することを特徴とする。
【００１３】
また、前記半導体基板として炭化珪素を用いることを特徴とする。
【００１４】
また、前記半導体基板として窒化ガリウムを用いることを特徴とする。
【００１５】
また、前記マーカーをレーザーを用いて形成することを特徴とする。
【００１６】
また、前記マーカーをフォトリソグラフィにより形成することを特徴とする。
【００１７】
また、前記マーカーを物理的切削により形成することを特徴とする。
【００１８】
また、前記結晶欠陥は、前記半導体基板に対して照射光を照射し、当該照射光の散乱、反射、透過に基づき検出することを特徴とする。
【００１９】
また、本発明の半導体装置の製造装置は、半導体基板の内部に作製するチップの領域を規定する座標位置の基準となるマーカーを形成するマーカー形成部と、前記半導体基板上の結晶欠陥を検出する検査部と、を備え、前記検査部は、検出した前記結晶欠陥の座標位置を前記マーカーに基づき検出することを特徴とする。
【００２０】
上記構成によれば、半導体基板に基準となるマーカーを形成し、半導体基板上の結晶欠陥を検出する際に、検出した結晶欠陥の座標位置をマーカーに基づき検出する。これにより、半導体基板上に複数の半導体装置を作製する際に、どの半導体装置のどの位置に結晶欠陥が含まれるかを検出できるようになる。
【発明の効果】
【００２１】
このような方法によれば、半導体基板上の結晶欠陥の位置がどの半導体装置のどの位置に含まれるかを容易に検出できるという効果を奏する。
【図面の簡単な説明】
【００２２】
【図１】半導体基板上のマーカーを示す平面図である。
【図２】半導体基板上の欠陥位置を示す平面図である。
【図３】半導体基板に作製するチップアレイを示す図である。
【図４】半導体基板の製造工程の一例を示すフローチャートである。
【発明を実施するための形態】
【００２３】
以下に添付図面を参照して、この発明にかかる半導体装置の製造方法および製造装置の好適な実施の形態を詳細に説明する。
【００２４】
（実施の形態）
本発明は、座標原点をマーカーとして半導体基板に予め作製しておく。これにより、マーカーを基準に結晶欠陥位置および半導体装置位置を決定し、容易に位置関係の対応をとることができる。そして、半導体装置の製造工程中に、結晶欠陥検出の工程も含めることができるようになる。
【００２５】
図１は、半導体基板上のマーカーを示す平面図である。図１に示すように、半導体基板として、例えばＳｉＣ基板１０上には、複数箇所、図示の例では、３箇所に矩形状のマーカー１１を形成する。このマーカー１１は、Ｘ軸に沿ってＳｉＣ基板１０の両端部にそれぞれ離して形成したＸ軸マーカー１１ａ，１１ｂと、Ｘ軸マーカー１１ａ，１１ｂに対し直交するＹ軸に沿ってＳｉＣ基板１０の一端に設けたＹ軸マーカー１１ｃとからなる。
【００２６】
Ｘ軸上の２つのマーカー１１ａ，１１ｂと、Ｙ軸上の１つのマーカー１１ｃにより、これらマーカー１１ａ，１１ｂ，１１ｃで囲んだ領域をＳｉＣ基板１０の面内の領域とすることができる。すなわち、このマーカー１１（１１ａ〜１１ｃ）は、ＳｉＣ基板１０上における、複数の半導体装置（チップアレイ）の作製領域を規定するアライメントマークとなる。
【００２７】
このマーカー１１（１１ａ〜１１ｃ）は、半導体基板１０をレーザー加工することにより形成できる。これに限らず、マーカー１１（１１ａ〜１１ｃ）は、フォトリソグラフィにより形成したり、物理的切削により形成したりすることもできる。
【００２８】
図１に示す例では、これら複数のマーカー１１ａ，１１ｂ，１１ｃの内側端面１１ａａ，１１ｂａ，１１ｃａで囲んだ図１中点線の内部がチップアレイの作製領域１１Ａである。
【００２９】
これらマーカー１１は、ＳｉＣ基板１０の外周位置に３箇所以上設ける。これにより、他の装置（例えば、検査装置やマーカー形成後の製造装置）においても、この３箇所のマーカー１１をセンサにより検出することにより、ＳｉＣ基板１０の回転方向の位置、すなわち、ＳｉＣ基板１０毎に、Ｘ軸位置とＹ軸位置を規定できるようになる。また、このＸ軸位置とＹ軸位置を規定できることにより、ＳｉＣ基板１０の面内の複数の位置についても検出できるようになる。
【００３０】
図２は、半導体基板上の欠陥位置を示す平面図である。検査装置は、図１に示したマーカー１１が形成されたＳｉＣ基板１０を検査する。この検査装置により結晶欠陥１２を検出する。検出された結晶欠陥１２は、マーカー１１を基準としてＳｉＣ基板１０のＸ，Ｙ軸の座標位置として検出でき、この結晶欠陥１２の位置は、それぞれ検査装置に記憶しておく。また、この結晶欠陥１２の位置は、所定形状のマーク（識別子）を付し、画像表示したり、外部出力が可能である。また、結晶欠陥１２の種別、例えば、点欠陥、線欠陥、面欠陥、体積欠陥や、転位等に対応した形状のマークを用いてもよく、図示のように○や△等の異なる形状のマークを用いることとしてもよい。
【００３１】
図３は、半導体基板に作製するチップアレイを示す図である。図２に示した検査装置による検査後、製造装置では、ＳｉＣ基板１０上のマーカー１１を基準にして、ＳｉＣ基板１０の面内に、例えば、ＳＢＤ（Ｓｉｌｉｃｏｎ  Ｃａｒｂｉｄｅ−Ｓｃｈｏｔｔｋｙ  Ｂａｒｒｉｅｒ  Ｄｉｏｄｅ）チップ２０をアレイ状に複数作製する。
【００３２】
この製造装置によりＳＢＤチップ２０の作製時、結晶欠陥１２の座標位置がどのＳＢＤチップ２０の領域（座標位置）に含まれるかを判断することができるようになる。
【００３３】
図４は、半導体基板の製造工程の一例を示すフローチャートである。以下、このフローチャートに沿って、マーカーの形成、および結晶欠陥の検出、チップアレイの作製を順に説明する。以下の説明では、製造装置内に検査装置が組み込まれ、検査工程は全体の製造工程の一工程に含まれるものとして説明する。
【００３４】
半導体基板として用いるＳｉＣ基板１０は、例えば、（０００１）面を表面とした直径３インチのＮ（窒素）ドープ、ｎ型４Ｈ−ＳｉＣ単結晶＜１１−２０＞方向４°ｏｆｆの半導体基板を使用する。このＳｉＣ基板１０は、ＣＭＰ（Ｃｈｅｍｉｃａｌ  Ｍｅｃｈａｎｉｃａｌ  Ｐｏｌｉｓｈｉｎｇ）研磨後、表面にｎ型エピタキシャル層を形成する。例えば、このｎ型エピタキシャル層は、表面からの厚さは５μｍであり、ドーピング濃度は１×１０16ｃｍ-3である。
【００３５】
このようなＳｉＣ基板１０の表面には、フォトリソグラフィおよびエッチングを用いて、図２に示したように、長さ３００μｍ、幅５０μｍ、深さ３μｍの矩形状のマーカー１１を複数形成する（ステップＳ４０１）。このマーカー１１は、Ｘ軸に沿ってＳｉＣ基板１０の両端部にそれぞれ離して形成したＸ軸マーカー１１ａ，１１ｂと、Ｘ軸マーカー１１ａ，１１ｂに対し直交するＹ軸に沿ってＳｉＣ基板１０の一端に設けたＹ軸マーカー１１ｃとからなる。
【００３６】
なお、マーカー１１は、上述したように、ほかにレーザー加工や物理的切削により形成してもよい。いずれにおいても、形成したマーカー１１は、座標位置を検出するアライメントとしてセンサにより検出できる構成とすればよい。
【００３７】
ＳｉＣ基板１０の側部に設けたオリエンテーションフラット１０ａを基準として、Ｘ軸，Ｙ軸を規定でき、このオリエンテーションフラット１０ａを基準としてマーカー１１（１１ａ〜１１ｃ）を形成する。
【００３８】
Ｙ軸マーカー１１ｃは図中上部に１つのみ形成しているが、Ｘ軸マーカー１１ａ，１１ｂを結んだ仮想線を起点として、この仮想線からＹ軸マーカー１１ｃまでの長さＬ１を検出できる。したがって、図中下部にもう一つのＹ軸マーカーを設けなくても、チップアレイの作製領域１１Ａの下部の境界線は、仮想線を起点として下部にＹ軸マーカー１１ｃまでの長さと同じ長さＬ１の位置とすることができる。
【００３９】
これらマーカー１１は、ＳｉＣ基板１０の外周位置の３箇所に設けることにより、他の装置においても、この３箇所のマーカー１１を検出した位置に基づき、ＳｉＣ基板１０の回転方向の位置、すなわち、ＳｉＣ基板１０毎に、Ｘ軸位置とＹ軸位置を規定できるようになる。また、このＸ軸位置とＹ軸位置を規定できることにより、ＳｉＣ基板１０の面内の複数の位置についても検出できるようになる。
【００４０】
上記のように、ＳｉＣ基板１０にマーカー１１を形成した後、このＳｉＣ基板１０を検査部にて検査する。この検査時には、マーカー１１を検出する。その後、照射光を照射し、当該照射光の散乱、反射、透過に基づき結晶欠陥を検出する。これ以外の所定の方法、例えば、上記エレクトロルミネッセンス法や、測定位置に励起光を照射する、あるいは電圧印加することにより結晶欠陥を検出することとしてもよい（ステップＳ４０２）。
【００４１】
この後、検査部では、マーカー１１を基準として、ＳｉＣ基板１０面内の結晶欠陥１２の位置（Ｘ，Ｙ軸位置）をそれぞれ検出する（ステップＳ４０３）。検出した各結晶欠陥１２の位置（Ｘ，Ｙ軸位置）は、検査部（製造装置）の図示しない記憶部に座標位置として記憶しておく。
【００４２】
その後、製造装置は、マーカー１１を基準にしてＳＢＤ（Ｓｉｌｉｃｏｎ  Ｃａｒｂｉｄｅ−Ｓｃｈｏｔｔｋｙ  Ｂａｒｒｉｅｒ  Ｄｉｏｄｅ）チップ２０をＳｉＣ基板１０の面内に複数作製する（ステップＳ４０４）。図１に示した複数のマーカー１１ａ，１１ｂ，１１ｃの内側端面１１ａａ，１１ｂａ，１１ｃａで囲んだチップアレイの作製領域１１Ａ内を縦横に所定数で区切って、図３に示すＳＢＤチップ２０をアレイ状に作製する。
【００４３】
この際、製造装置は、検出された結晶欠陥１２がどのＳＢＤチップ２０に含まれるかを座標位置に基づき検出する（ステップＳ４０５）。すなわち、ＳＢＤチップ２０は、Ｘ，Ｙ座標で示すことができる所定の領域を有しており、結晶欠陥１２の位置を示すＸ，Ｙ座標がどのＳＢＤチップ２０に含まれるかを検出できる。図示の例では、ＳＢＤチップ２０ａ，２０ｂ，２０ｃに結晶欠陥１２が含まれていることを示している。このように、本実施の形態によれば、半導体基板１０上の結晶欠陥１２の位置がどの半導体装置（ＳＢＤチップ２０）に含まれるか、さらには、結晶欠陥１２がＳＢＤチップ２０内のどの位置に含まれるかを容易に検出できる。
【００４４】
上記の処理では、製造装置内に検査部が設けられ、製造装置は、マーカー１１によるアライメント位置を基準として、検査部にて検出された結晶欠陥の座標位置について、半導体装置の製造工程中、一貫して座標位置を記憶し、検出の処理に用いている。これに限らず、製造装置と検査装置が異なる箇所に配置された場合であっても適用できる。すなわち、各結晶欠陥１２の位置（Ｘ，Ｙ軸位置）を検査装置の記憶部に記憶し、製造装置がＳＢＤチップ２０を作製する際に、検査装置から結晶欠陥１２の位置を読み出すことにより、製造装置は、どのＳＢＤチップ２０に結晶欠陥１２が含まれるかを検出できるようになる。
【００４５】
上記工程により、検出した結晶欠陥１２の位置精度について説明する。マーカー１１との位置関係に基づき、結晶欠陥１２の各ＳＢＤチップ２０内での位置を、実際に光学顕微鏡を用いて観察したところ、その位置のずれはおおよそ１００μｍ以内であった。このように、ＳｉＣ基板１０上における結晶欠陥１２の位置は、マーカー１１を基準として正確に検出することができる。
【００４６】
上記実施の形態では、あらかじめＳｉＣ基板１０上にマーカー１１を形成しておき、その後に結晶欠陥１２を検出する構成としたがこれに限らない。検査部において結晶欠陥１２を検出したとき、ＳｉＣ基板１０上における各結晶欠陥１２の座標位置を知ることができればよい。このことから、結晶欠陥１２を検出した際に、同時に、あるいは結晶欠陥１２を検出した後にマーカー１１を形成することもできる。結晶欠陥１２を検出するときに、マーカー１１を同時に形成し、このマーカー１１の位置に基づき、検出した各結晶欠陥１２の位置を検出することができる。また、結晶欠陥１２を検出する際には、仮想の座標位置上で各結晶欠陥１２の座標位置を仮に決めておき、この後、この仮の座標位置の基準となるマーカー１１を形成する構成としてもよい。
【００４７】
以上、説明した実施例はあくまで例示であり、本発明の適用範囲は、以上例示した実施例に限定されない。例えば、上述した半導体基板は、ＳｉＣ基板に限らず、窒化ガリウム（ＧａＮ）等の単結晶基板にも適用できる。また、マーカー１１は、Ｘ軸上に２箇所およびＹ軸上にも２箇所設ける構成としてもよいほか、半導体基板の外周（３６０度）を３等分（６０度ずつ）した位置に設けてもよい。
【産業上の利用可能性】
【００４８】
以上のように、本発明にかかる、半導体装置の製造方法および製造装置は、大電流を必要とする産業用電動機や新幹線車両などのインバータなどに使用されるパワー半導体装置に有用である。
【符号の説明】
【００４９】
１０  半導体基板（ＳｉＣ基板）
１１（１１ａ，１１ｂ，１１ｃ）  マーカー
１２  結晶欠陥
２０  ＳＢＤチップ
【図１】
2013232555.tif 000003
【図２】
2013232555.tif 000004
【図３】
2013232555.tif 000005
【図４】
2013232555.tif 000006